(57)【要約】【課題】ワンルームマンションのような小面積の住宅等において、仕様、デザインを統一できて、動線がスムーズにでき、隣接する異なる機能のカウンター部の端部を共用スペース部分として利用できる。【解決手段】部屋１の入口２を設けた玄関壁３と直交する両壁４のうち一方の壁４ａに沿って玄関壁３から部屋１の最奥部にわたって一連に連続する仕切りのないカウンター５を配設する。一連のカウンター５を、該カウンター５の長手方向において玄関カウンター部６ａと、キッチンカウンター部６ｂと、洗面カウンター部６ｃを含む複数の機能の異なるカウンター部６に区分する。【選択図】図１
2008013945.tif 000002
【特許請求の範囲】
【請求項１】
部屋の入口を設けた玄関壁と直交する両壁のうち一方の壁に沿って玄関壁から部屋の最奥部にわたって一連に連続する仕切りのないカウンターを配設し、該一連のカウンターを、該カウンターの長手方向において玄関カウンター部と、キッチンカウンター部と、洗面カウンター部を含む複数の機能の異なるカウンター部に区分して成ることを特長とする住宅設備。
【請求項２】
隣接するカウンター部の境界に段差を設けて隣接するカウンター部の高さを変えることを特徴とする請求項１記載の住宅設備。
【請求項３】
複数に区分されたカウンター部のうちキッチンカウンター部と洗面カウンター部とを隣接させて成ることを特徴とする住宅設備。
【請求項４】
玄関壁と直交する両壁のうち一方の壁に沿ってカウンターを配置し、玄関壁と直交する両壁のうち他方の壁と玄関壁とのなすコーナ部付近に、浴室設備、トイレ設備を備えた水周り設備を設けると共に該水周り設備に洗濯機置き場と冷蔵庫置き場とを設け、この水廻り設備と上記カウンターとの間に通路を形成して成ることを特徴とする請求項１乃至請求項３のいずれか一項に記載の住宅設備。
【請求項５】
カウンターに設けたキッチンカウンター部と洗面カウンター部とが通路を介して水廻り設備と対向していることを特徴とする請求項４記載の住宅設備。
【請求項６】
玄関壁と直交する両壁のうち一方の壁に沿ってカウンターを配設し、玄関壁と直交する両壁のうち他方の壁と玄関壁とのなすコーナ部付近に、浴室設備、トイレ設備を備えた水周り設備を設けて該水廻り設備とカウンターとの間に通路を形成し、部屋の水廻り設備よりも奥側を通路と連通する居室空間とし、カウンターの長手方向において玄関カウンター部と、キッチンカウンター部と、洗面カウンター部と、作業用カウンター部に区分し、作業用カウンター部を居室空間に位置させることを特徴とする請求項１乃至請求項５のいずれか一項に記載の住宅設備。
【発明の詳細な説明】
【技術分野】
【０００１】
本発明は、ワンルームマンションのような小面積の住宅等に配置する住宅設備に関するものである。
【背景技術】
【０００２】
従来からワンルームマンションなどの小面積の住宅において使用される設備は汎用品をスケールダウンした仕様になっているものが多い。すなわち、キッチン、洗面等の設備や下駄箱等は個別のメーカから調達されることが多く、仕様、デザインが統一されていないことが多い。したがって、ワンルームマンションなどの小面積の住宅において動線がスムーズでなく、使い勝手が悪く、また、ワンルームマンションなどの狭い空間を効率的に使用することができなかった。
【０００３】
また、ワンルームマンションなどに設置する住宅設備として、図７に示すような、部屋４０の入口付近のコーナ部に設けるバスユニット４１の部屋４０の壁に接していない二つの壁面にバスユニット４１の入口４２を除く全ての面を各々自立可能なキッチンユニット４３、家電品ユニット４４、洗面台ユニット４５、収納ユニット４６を含む住宅用設備ユニットにより囲むものが特許文献１により知られている。
【０００４】
この特許文献１に示された従来例は、個別の自立可能なキッチンユニット４３、家電品ユニット４４、洗面台ユニット４５、収納ユニット４６をバスユニット４１の部屋４０の壁に接していない二つの壁面にバスユニット４１の入口４２を除く全ての面に並べただけのものであり、また、キッチンユニット４３と家電品ユニット４４とはバスユニット４１の入口４２をはさんで離れていてバスユニット４１の入口４２の前方に通路との間に凹み空間４７が形成され、また、家電品ユニット４４と収納ユニット４６とが洗面台ユニット４５を介して直角に配置されており、更に、玄関には上記の住宅設備とは別に下駄箱４８を配置しており、キッチンユニット４３の側板４９により下駄箱４８との間を仕切る構成となっている。このように特許文献１に示された各住宅設備は一連に連続するものとなっておらず、特に、バスユニット４１の入口４２の前方に通路との間に凹み空間４７が形成されるので、動線が悪く、使い勝手が悪く、更に、ワンルームマンションなどの狭い空間を効率的に使用することができなかった。
【特許文献１】実開平５−８９７１２号公報
【発明の開示】
【発明が解決しようとする課題】
【０００５】
本発明は上記の従来の問題点に鑑みて発明したものであって、異なる機能の複数の住宅設備を一連にまとめて仕様、デザインを統一でき、また、動線がスムーズとなり、しかも、隣接する異なる機能のカウンター部の端部を共用スペース部分として利用でき、更に、ワンルームマンションなどの狭い空間をすっきりした外観にできると共に効率的に使用することができる住宅設備を提供することを課題とするものである。
【課題を解決するための手段】
【０００６】
上記課題を解決するために本発明に係る住宅設備は、部屋１の入口２を設けた玄関壁３と直交する両壁４のうち一方の壁４ａに沿って玄関壁３から部屋１の最奥部にわたって一連に連続する仕切りのないカウンター５を配設し、該一連のカウンター５を、該カウンター５の長手方向において玄関カウンター部６ａと、キッチンカウンター部６ｂと、洗面カウンター部６ｃを含む複数の機能の異なるカウンター部６に区分して成ることを特長とするものである。
【０００７】
このような構成とすることで、入口２から部屋１の最奥部にかけて一連に連続するカウンター５が存在することで、玄関の入口２を入ってから部屋１の最奥部にかけての動線がカウンター５に沿った一直線状となって動線が良くなり、しかも、玄関壁３から部屋１の最奥部にかけて一連に連続する仕切りのないカウンター５の長手方向において玄関カウンター部６ａと、キッチンカウンター部６ｂと、洗面カウンター部６ｃを含む複数の機能の異なるカウンター部６に区分してあるので、ワンルームマンションのような小面積の住宅等において、玄関カウンター部６ａ、キッチンカウンター部６ｂ、洗面カウンター部６ｃという異なる機能の複数の住宅設備が一連にまとまっていて仕様、デザインを統一できて外観がよくなると共に、複数の機能の異なるカウンター部６に沿って作業を行う際の動線も良くなる。また、長手方向に複数の機能の異なるカウンター部６に区分けした一連のカウンター５には仕切りがないので、隣接する異なる機能のカウンター部６の端部をそれぞれ共用スペース部分として利用することが可能となって利便性が向上し、使い勝手もよくなる。また、一連の仕切りの無いカウンター５を長手方向に区分けすることで複数のカウンター部６としてあるので、平面視における部屋１内における凸凹をなくしてワンルームマンションなどの狭い空間をすっきりした外観にできると共に効率的に使用することができる。更に、玄関壁３から部屋１の最奥部にかけて一連に連続するカウンター５の上方及び下方の空間を、そのまま空間として残したり、あるいは、一部を収納空間として利用したりといったように居住者の目的に応じて様々な用途に使用できる。
【０００８】
また、隣接するカウンター部６の境界に段差７を設けて隣接するカウンター部６の高さを変えることが好ましい。
【０００９】
このような構成とすることで、一連の仕切りの無いカウンター５を長手方向に複数の機能の異なるカウンター部６に区分けするに当たり、区分けするカウンター部６をそれぞれの機能に応じたカウンター高さにすることができて、使い勝手が良くなる。
【００１０】
また、複数に区分されたカウンター部６のうちキッチンカウンター部６ｂと洗面カウンター部６ｃとを隣接させることが好ましい。
【００１１】
このような構成とすることで、一連の仕切りの無いカウンター５を長手方向に複数の機能の異なるカウンター部６に区分けするに当たり、給排水の配管が必要なカウンター部分をまとめることができて、配管工事が簡略化する。
【００１２】
また、玄関壁３と直交する両壁４のうち一方の壁４ａに沿ってカウンター５を配置し、玄関壁３と直交する両壁４のうち他方の壁４ｂと玄関壁３とのなすコーナ部付近に、浴室設備８、トイレ設備９を備えた水周り設備１０を設けると共に該水周り設備１０に洗濯機置き場１１と冷蔵庫置き場１２とを設け、この水廻り設備１０と上記カウンター５との間に通路１３を形成することが好ましい。
【００１３】
このような構成とすることで、ワンルームマンション等の狭い部屋１において、浴室設備８、トイレ設備９を備えた水周り設備１０部分に洗濯機１５、冷蔵庫１６を設置することができて、狭い部屋１の他の空間に洗濯機１５、冷蔵庫１６を個別に設置する必要がなく、狭い部屋１の水周り設備１０以外の空間を広く使え、しかも、水周り設備１０と仕切りのないカウンター５との間が通路１３となっているので、カウンター５の上方の空間が通路１３と連続した巾の広い空間となり、通路１３を通る際に圧迫感がない。
【００１４】
また、カウンター５に設けたキッチンカウンター部６ｂと洗面カウンター部６ｃとが通路１３を介して水廻り設備１０と対向していることが好ましい。
【００１５】
このような構成とすることで、水廻り設備１０とカウンター５の水に関連するカウンター部６（キッチンカウンター部６ｂと洗面カウンター部６ｃ）とを通路１３を介してまとめることができて、配管が短くなり、工事が簡略化する。
【００１６】
また、玄関壁３と直交する両壁４のうち一方の壁４ａに沿ってカウンター５を配設し、玄関壁３と直交する両壁４のうち他方の壁４ｂと玄関壁３とのなすコーナ部付近に、浴室設備８、トイレ設備９を備えた水周り設備１０を設けて該水廻り設備１０とカウンター５との間に通路１３を形成し、部屋１の上記水廻り設備１０よりも奥側を通路１３と連通する居室空間１４とし、カウンター５の長手方向において玄関カウンター部６ａと、キッチンカウンター部６ｂと、洗面カウンター部６ｃと、作業用カウンター部６ｄに区分し、作業用カウンター部６ｄを居室空間１４に位置させることが好ましい。
【００１７】
このような構成とすることで、居室空間１４に別途机やテーブルなどを設置することなく、居室空間１４において連続する一連のカウンター５に設けた作業用カウンター部６ｄを利用して、パソコンを操作したり、食事をしたり、アイロンを掛けたり、本を読んだり、手紙を書いたりといった各種作業を行うことができ、また、作業用カウンター部６ｄを室内装飾用置物を載せる飾りカウンター部としても利用できる。
【発明の効果】
【００１８】
本発明は、上記のように構成したので、ワンルームマンションのような小面積の住宅等において、玄関カウンター部、キッチンカウンター部、洗面カウンター部という異なる機能の複数の住宅設備が一連にまとまっていて仕様、デザインを統一できて、動線がスムーズとなり、しかも、隣接する異なる機能のカウンター部の端部を共用スペース部分として利用することが可能となって利便性が向上し、使い勝手もよくなり、平面視における部屋内における凸凹をなくしてワンルームマンションなどの狭い空間をすっきりした外観にできると共に効率的に使用することができる。
【発明を実施するための最良の形態】
【００１９】
以下、本発明を添付図面に示す実施形態に基いて説明する。
【００２０】
図１乃至図４には本発明の一実施形態が示してあり、図５、図６にはそれぞれ他の実施形態が示してある。
【００２１】
ワンルームマンションのような部屋１の玄関壁３には扉１８を有する入口２が設けてある。この入口２を設けた玄関壁３と直交する両壁４のうち、一方の壁４ａに沿ってカウンター５が配設してあり、このカウンター５は玄関壁３から玄関壁３と対向する部屋１の最奥部の壁１７にわたって途中に仕切り壁や仕切り側板等の仕切りが設けてない一連に連続するものである。
【００２２】
この壁４ａに沿って玄関壁３から部屋１の最奥部の壁１７にわたって配設した一連に連続するカウンター５は、図４に示すように、長手方向において複数の機能の異なるカウンター部６に区分けしてある。添付図面に示す実施形態においては玄関壁３側から最奥部の壁１７側にかけて順に、玄関カウンター部６ａ、キッチンカウンター部６ｂ、洗面カウンター部６ｃ、作業用カウンター部６ｄに区分けしてある。
【００２３】
玄関カウンター部６ａは一端部が玄関壁３に当接していて入口２から出入りする人の鞄、ハンドバック等の小物を一時的に置く場所として使用したり、花瓶、室内装飾用置物を載置したりするためのカウンター部６として利用される。
【００２４】
キッチンカウンター部６ｂはシンク部２０、ＩＨクッキングヒータやガスコンロのような加熱部２１、キッチン用の蛇口２２が設けてあり、食品、食器の洗浄、調理をするためのカウンター部６として利用される。
【００２５】
洗面カウンター部６ｃはボウル部２３、洗面用の蛇口２４が設けてあり、洗面を行うためのカウンター部６である
作業用カウンター部６ｄはパソコンを操作したり、食事をしたり、アイロンを掛けたり、本を読んだり、手紙を書いたりといった各種作業を行うためのテーブルとしての機能の他に、室内装飾用置物、テレビを載せるカウンター部６として使用される。
【００２６】
上記一連の連続したカウンター５は同一材料により形成してもよく、あるいは、区分けした複数種類のカウンター部６毎に異なる材料により形成してもよい。例えば、玄関カウンター部６ａ、作業用カウンター部６ｄを木質系の材料で形成し、キッチンカウンター部６ｂ、洗面カウンター部６ｃを人造大理石で形成するが、必ずしもこれにのみ限定されない。
【００２７】
ここで、隣接するカウンター部６は面一（同じ高さ）で連続するだけでなく、境界に段差７を設ける場合がある。
【００２８】
図２、図４に示す実施形態では玄関カウンター部６ａとキッチンカウンター部６ｂとが同じ高さとなっていて面一に連続し、洗面カウンター部６ｃはキッチンカウンター部６ｂよりも一段低い高さとなっており、このため、洗面カウンター部６ｃとキッチンカウンター部６ｂとの境界には段差７が設けてあり、また、洗面カウンター部６ｃと作業用カウンター部６ｄとは同じ高さとなっていて面一に連続している。
【００２９】
このように、長手方向に複数種類のカウンター部６に区分けしたカウンター５が一連に連続したものにおいて、洗面カウンター部６ｃ、作業用カウンター部６ｄを、玄関カウンター部６ａ、キッチンカウンター部６ｂより低くすることで、一連に連続したカウンター５でありながら、各カウンター部６の機能に応じた最適の高さにできて使い勝手が良くなるようにしてある。
【００３０】
長手方向に複数の機能の異なるカウンター部６に区分けした一連のカウンター５には仕切りがないので、隣接する異なる機能のカウンター部６の端部をそれぞれ共用スペース部分として利用することができるようになっている。この場合、隣接するカウンター部６の一方の端部上面、又は隣接する両カウンター部６の隣接する各端部上面がそれぞれ共用として利用する部分となる。したがって、キッチンカウンター部６ｂと洗面カウンター部６ｃとが連続する部分においても共用部分ができるように、シンク部２０とボウル部２３とが直接隣接しないようにシンク部２０とボウル部２３との間に共用部２５が設けられるようにする。この場合、共用部２５はキッチンカウンター部６ｂ側に設けてキッチンカウンター部６ｂと同じ材料で形成してもよく、洗面カウンター部６ｃ側に設けて洗面カウンター部６ｃと同じ材料で形成してもよい。ここで、キッチンカウンター部６ｂにおける作業はカウンター部６ｃにおける作業よりもできるだけ広い面一となった作業面が必要なため、上記共用部２５はキッチンカウンター部６ｂの上面と面一とするのが好ましい。洗面カウンター部６ｃは共用部２５が高くなっていることで、共用部２５に置いた化粧品などがボウル部２３で洗面等を行う際に、濡れたりしないようにできる。
【００３１】
上記実施形態においては、複数に区分されたカウンター部６のうちキッチンカウンター部６ｂと洗面カウンター部６ｃとを隣接させてあるので、一連の仕切りの無いカウンター５を長手方向に複数の機能の異なるカウンター部６に区分けするに当たり、カウンター５に設ける給排水の配管をまとめることができて配管工事が容易になるようにしてある。
【００３２】
図１、図３に示すように、玄関壁３と直交する両壁４のうち他方の壁４ｂと玄関壁３とのなすコーナ部付近に、浴室設備８、トイレ設備９を備えた水周り設備１０が設けてある。
【００３３】
図１、図３に示す実施形態においては、浴室設備８（浴室部）とトイレ設備９（トイレ室部）との間に脱衣室部２６を形成して水周り設備１０が形成してあり、部屋１の水廻り設備１０より奥側に居室空間１４となっている。
【００３４】
この部屋１の奥側の居室空間１４に上記した一連に連続するカウンター５の作業用カウンター部６ｄが位置しており、居室空間１４に別途机やテーブルなどを設置することなく、居室空間１４において連続する一連のカウンター５に設けた作業用カウンター部６ｄを机やテーブルとして利用して、パソコンで作業をしたり、食事をしたり、アイロンを掛けたり、本を読んだり、手紙を書いたりといった各種作業を行うことができ、また、作業用カウンター部６ｄを室内装飾用置物を載せる飾りカウンター部としても利用できるようになっている。
【００３５】
上記水周り設備１０と前述のカウンター５との間が通路１３となっていて、該通路１３が部屋１の入口２と部屋１の奥側の居室空間１４とを連通している。
【００３６】
脱衣室部２６の通路１３に面した部分が水廻り設備１０への出入り口部２７となっており、脱衣室部２６の出入り口部２７とは反対側の奥部に洗濯機置き場１１が設けてあって、洗濯機１５を設置するようになっている。また、水周り設備１０のトイレ設備９側の通路１３に面した部分には平面でトイレ設備９側に凹んだ凹部が形成してあり、該凹部が冷蔵庫置き場１２となっていて、冷蔵庫１６を設置するようになっている。
【００３７】
図１の実施形態では冷蔵庫１６を設置する冷蔵庫置き場１２と通路１３を介して対向する位置にキッチンカウンター部６ｂが設けてあって、キッチンカウンター部６ｂで作業をする際に、キッチンカウンター部６ｂの直ぐ後ろに冷蔵庫１６があるため調理作業が極めて便利になる。
【００３８】
そして図１のように水周り設備１０と通路１３を介してキッチンカウンター部６ｂや洗面カウンター部６ｃを対向させる（図１では水周り設備１０にはキッチンカウンター部６ｂが対向し、洗面カウンター部６ｃは斜めに向かい合っている）と、水周り設備１０の給排水の配管と、キッチンカウンター部６ｂや洗面カウンター部６ｃの給排水の配管とを近づけて配管できて、配管作業が簡略化する。
【００３９】
ここで、図５の実施形態のように、水周り設備１０と通路１３を介してキッチンカウンター部６ｂと洗面カウンター部６ｃの両方を対向させると、水周り設備１０の給排水の配管と、キッチンカウンター部６ｂ及び洗面カウンター部６ｃの給排水の配管とを一まとめにして配管できて、配管作業がいっそう簡略化する。
【００４０】
入口２からワンルームマンションのような部屋１内に入ると、狭い部屋空間内に異なる機能の玄関カウンター部６ａ、キッチンカウンター部６ｂ、洗面カウンター部６ｃ、作業用カウンター部６ｄが設けてあるにもかかわらず、入口２から部屋１の最奥部にかけて一連に連続する仕切りのないカウンター５が存在することで、入口２から奥まで見渡せてすっきりした外観となるだけでなく、玄関の入口２を入ってから部屋１の最奥部にかけての動線がカウンター５に沿った一直線状となって動線が良くなる。
【００４１】
また、ワンルームマンションのような小面積の住宅等において、玄関カウンター部６ａ、キッチンカウンター部６ｂ、洗面カウンター部６ｃ、作業用カウンター部６ｄという異なる機能の複数の住宅設備が一連にまとまっているため、仕様、デザインを統一できて外観がよくなると共に、複数の機能の異なるカウンター部６に沿って作業を行う際の動線も良くなって、作業性が向上する。
【００４２】
本発明の玄関壁３から部屋１の最奥部にかけて一連に連続するカウンター５には必要に応じて全長にわたり、または部分的に引き出し部３０を設けて、収納性を良くするようにしてもよい。
【００４３】
また、一連の連続するカウンター５はキャビネットの上に設置せず、壁４ａに固定して支持するようにし、荷重を支持するための脚部３２はできるだけ最小限にとどめるようにする。つまり、最小限の脚部３２による支持と壁４ａへの支持とでカウンター５を支持するようにし、これにより、カウンター５の下方空間３１を広いフリースペースとし、この下方空間３１を居住者が自由に使えるようにする。例えば、図２のように下方空間３１の一部を利用して好みに応じて移動式等の収納家具３３やハンガー３４等を配置したり、あるいは固定式の収納ボックス５３を配置したり、あるいは何も配置しない部分を設けて居室空間１４を広く使えるようにしたりする。
【００４４】
また、一連の連続するカウンター５の上方空間３５は仕切りのない空間として連続させ、通路１３と対向する部分においてはカウンター５の上方の空間が通路１３と連続した巾の広い空間となり、通路１３を通る際に圧迫感がないようにし、また、居室空間１４部分においてはカウンター５の上方の空間が居室空間１４と連続した巾の広い空間となって居室空間１４を広く使えることになる。
【００４５】
カウンター５を沿わせた壁４ａの上端部や天井の該壁４ａ側の端部にはカウンター５の長手方向に沿って図２のようにハンガーレール３７を取付け、該ハンガーレール３７に吊り下げた吊り具３８に衣服３９ａ、自転車３９ｂ、調理器具３９ｃ、額縁３９ｄ等の種々の被吊り下げ物３９を吊り下げることができるようにして、ワンルームマンションのような狭い部屋１空間内を有効利用できるようにする。
【００４６】
また、カウンター５を沿わせた壁４ａの上端部と天井とのなすコーナ部分に天袋ユニット２９を設けてもよく、これによりカウンター５の上方空間３５を有効利用して収納部を確保できる。この場合、玄関壁３から部屋１の最奥部の壁１７にわたって点袋ユニット２９を一連に連続して設けてもよい。
【００４７】
なお、図中５０はベッド、５１は壁４ａの洗面カウンター部６ｃに対応した箇所の上部に設けた鏡である。
【図面の簡単な説明】
【００４８】
【図１】本発明の住宅設備を配設した部屋の一例を示す平面図である。
【図２】図１のＸ−Ｘ線の断面図である。
【図３】図１のＹ−Ｙ線の断面図である。
【図４】同上に用いるカウンターの一実施形態の斜視図である。
【図５】他の実施形態の平面図である。
【図６】他の実施形態の平面図である。
【図７】従来例を示す平面図である。
【符号の説明】
【００４９】
１  部屋
２  入口
３  玄関壁
４  壁
４ａ  壁
４ｂ  壁
５  カウンター
６ａ  玄関カウンター部
６ｂ  キッチンカウンター部
６ｃ  洗面カウンター部
６ｄ  作業用カウンター部
７  段差
８  浴室設備
９  トイレ設備
１０  水周り設備
１１  洗濯機置き場
１２  冷蔵庫置き場
１３  通路
【図１】
2008013945.tif 000003
【図２】
2008013945.tif 000004
【図３】
2008013945.tif 000005
【図４】
2008013945.tif 000006
【図５】
2008013945.tif 000007
【図６】
2008013945.tif 000008
【図７】
2008013945.tif 000009